(57)【要約】【課題】従来、紙ベースの運航票の内容を管理する場合、増加する運航票を保管するための場所の確保が困難であり、再利用の際に該当する運航票の探索が困難である。電子運航票で管理する場合は、紙ベースの運航票を用いたシステムからの移行が困難である。【解決手段】  運航票印刷部１０２は、運航票１０１のＩＤと、運航票１０１に印刷した運航票表示データ１０５とを運航票管理部１０４に送信する。管制官１０６は、筆跡検出手段１０３２を具備する筆記手段１０３を使用して、運航票１０１に管制情報の書き込みを手書きで行う。筆記手段１０３は、管制官１０６が運航票１０１に書き込んだ修正内容を示す筆跡情報と、ＩＤ検出手段１０３１で検出した運航票１０１のＩＤとを運航票管理部１０４に送信する。運航票管理部１０４は、運航票表示データ、筆跡情報及び時刻取得手段から取得した時刻を対応させ、記憶媒体１０４１に保存することで一元管理する。【選択図】            図１
2006268082.tif 000002
【特許請求の範囲】
【請求項１】
各々に固有のＩＤが設定された複数の運航票と、
前記運航票に運航票表示データを印刷すると共に、印刷する前記運航票のＩＤを検出する第１のＩＤ検出手段を具備する運航票印刷部と、
前記運航票に所望の情報を筆記するために用いられ、筆記する前記運航票のＩＤを検出する第２のＩＤ検出手段と、筆記された前記所望の情報の筆跡を検出する筆跡検出手段を具備する筆記手段と、
前記運航票印刷部から供給された前記運航票のＩＤ及び前記運航票に印刷された前記運航票表示データと、前記筆記手段から供給された前記筆跡検出手段が検出した筆跡情報とを対応付けして管理する運航票管理部と
を有することを特徴とする運航票の電子管理システム。
【請求項２】
前記運航票管理部は、時刻取得手段及び記憶媒体への書込み手段とを具備しており、前記運航票印刷部から供給された、前記運航票に印刷された前記運航票表示データと前記第１のＩＤ検出手段で検出された前記運航票の第１の検出ＩＤを記憶しており、前記筆記手段から前記筆跡情報と共に供給される、前記第２のＩＤ検出手段で検出された前記運航票の第２のＩＤをキーとして、該第２のＩＤと同一の前記第１のＩＤと、前記運航票表示データと、前記筆跡情報とを、前記時刻取得手段から取得した時刻に対応させて、前記書込み手段により前記記憶媒体に保存することを特徴とする請求項１記載の運航票の電子管理システム。
【請求項３】
各々に固有のＩＤが設定された複数の運航票と、
前記運航票に運航票表示データを印刷すると共に、印刷する前記運航票のＩＤを検出する第１のＩＤ検出手段を具備する運航票印刷部と、
前記運航票に所望の情報を筆記するために用いられ、筆記する前記運航票のＩＤを検出する第２のＩＤ検出手段と、前記運航票に所望の情報を筆記する管制官を認証する個人認証手段とを具備し、筆記された前記所望の情報の筆跡を検出する筆跡検出手段を具備する筆記手段と、
前記運航票印刷部から供給された前記運航票のＩＤ及び前記運航票に印刷された前記運航票表示データと、前記筆記手段から供給された筆跡情報及び個人認証情報とを対応付けして管理する運航票管理部と
を有することを特徴とする運航票の電子管理システム。
【請求項４】
前記運航票管理部は、時刻取得手段及び記憶媒体への書込み手段とを具備しており、前記運航票印刷部から供給された、前記運航票に印刷された前記運航票表示データと前記第１のＩＤ検出手段で検出された前記運航票の第１の検出ＩＤを記憶しており、前記筆記手段から前記筆跡情報及び前記認証情報と共に供給される、前記第２のＩＤ検出手段で検出された前記運航票の第２のＩＤをキーとして、該第２のＩＤと同一の前記第１のＩＤと、前記運航票表示データと、前記筆跡情報と、前記認証情報とを、前記時刻取得手段から取得した時刻に対応させて、前記書込み手段により前記記憶媒体に保存することを特徴とする請求項３記載の運航票の電子管理システム。
【請求項５】
前記運航票管理部にて管理されている前記運航票の情報を、条件や範囲を指定して検索し、その検索内容を表示する表示装置を具備した検索装置が更に設けられていることを特徴とする請求項１乃至４のうちいずれか一項記載の運航票の電子管理システム。
【請求項６】
前記複数の運航票は航空管制対象の各航空機の飛行計画情報のうち、運航票に表示するデータが印刷される紙ベースの運航票であり、前記筆記手段は該運航票に手書きで前記所望の情報を筆記する手段であることを特徴とする請求項１乃至５のうちいずれか一項記載の運航票の電子管理システム。
【発明の詳細な説明】
【技術分野】
【０００１】
本発明は運航票の電子管理システムに係り、特に管制官が航空管制を行う際に用いる紙の運航票の内容を電子的に管理する運航票の電子管理システムに関する。
【背景技術】
【０００２】
航空管制における管制官への飛行計画情報の提供は、各航空機の飛行計画毎にプリントアウトされた紙である運航票を使用しており、管制官は、この運航票の飛行計画及びレーダ表示による航空機位置等の監視により状況判断を行い、航空機あるいは関係諸機関と連絡をとりながら管制業務を行っている。
【０００３】
この管制業務において、航空機及び関係諸機関との連絡により確認されている飛行計画に変更及び追加情報が発生した場合、管制官は運航票に直接手書きによる修正を加えることにより管制業務を継続している。また、この運航票は航空管制業務の記録となるため、使用後直ぐには破棄されず、一定期間保管され、運航票情報に関する管制業務の分析を行って、安全及び効率の改善等の検討を行うなどの目的で再利用される。
【０００４】
一方、上記の紙ベースの運航票に替わって、ＣＲＴ（陰極線管）などのディスプレイに模擬した運航票、すなわち電子運航票の内容を管理する電子管理システムも従来から知られている（例えば、特許文献１参照）。この特許文献１記載の従来の運航票の電子管理システムでは、航空機情報と管制情報を基に電子運航票を作成して管理する情報管理装置と、情報管理装置にオンライン接続された複数の管制卓端末装置とからなり、各々の管制卓端末装置は、航空機の運行情報と管制情報の変更・追加を入力する電子ペン入力部と、情報管理装置からの情報と他の管制卓端末装置からの情報で自身の航空機の運行情報と管制情報を更新作成する端末データファイル作成手段と、この自身の更新された運行情報と管理情報を表示する電子運航票表示部とを備えた構成である。
【０００５】
この従来の運航票の電子管理システムによれば、管理情報と相互転送情報とが即時誤り無く転送され、航空機毎の情報が分かり易く、操作の誤りを防ぐ効果があり、また、電子ペン入力で運行単位情報の表示順序の変更や転送指示をするので、操作がやり易いなどの効果がある。
【０００６】
【特許文献１】特開平１０−１０５８９９号公報（第１頁、第７−８頁、図１）
【発明の開示】
【発明が解決しようとする課題】
【０００７】
しかるに、前記の紙ベースの運航票の内容を管理する従来の運航票の電子管理システムは、航空管制業務中に作成される運航票の量が増加すると保管するための場所の確保が困難となり、更に再利用の際に該当する運航票を探し出すことが非常に難しくなってしまうという問題がある。
【０００８】
一方、現在の航空管制では、紙ベースの運航票の取り扱いが主流となっており、特許文献１に記載の電子運航票の電子管理システムに移行するためには、システムの導入と共に管制官の再教育等が必要となり、また、紙と電子的な表示とでは見え方が変わり、管制官が違和感を覚えるため、移行が困難である。
【０００９】
本発明は以上の点に鑑みなされたもので、紙ベースの運航票に記載された、手書きを含む情報を電子化することにより、管制情報の保管を容易にし得る運航票の電子管理システムを提供することを目的とする。
【００１０】
また、本発明の他の目的は、紙ベースの運航票に記録された、手書きを含む情報を電子化することにより、管制官の作業負担を軽減すると共に、管制官の事後の検索を容易にし、管制業務の分析等を効率的に行い得る運航票の電子管理システムを提供することにある。
【課題を解決するための手段】
【００１１】
上記の目的を達成するため、第１の発明は各々に固有のＩＤが設定された複数の運航票と、運航票に運航票表示データを印刷すると共に、印刷する運航票のＩＤを検出する第１のＩＤ検出手段を具備する運航票印刷部と、運航票に所望の情報を筆記するために用いられ、筆記する運航票のＩＤを検出する第２のＩＤ検出手段と、筆記された所望の情報の筆跡を検出する筆跡検出手段を具備する筆記手段と、運航票印刷部から供給された運航票のＩＤ及び運航票に印刷された運航票表示データと、筆記手段から供給された筆跡検出手段が検出した筆跡情報とを対応付けして管理する運航票管理部とを有することを特徴とする。この発明では、運航票に印刷された運航票表示データと、その運航票に対する筆記内容を示す筆跡情報とを対応付けして運航票管理部で一元管理することができる。
【００１２】
また、上記の目的を達成するため、第２の発明は、第１の発明の運航票管理部が、時刻取得手段及び記憶媒体への書込み手段とを具備しており、運航票印刷部から供給された、運航票に印刷された運航票表示データと第１のＩＤ検出手段で検出された運航票の第１の検出ＩＤを記憶しており、筆記手段から筆跡情報と共に供給される、第２のＩＤ検出手段で検出された運航票の第２のＩＤをキーとして、第２のＩＤと同一の第１のＩＤと、運航票表示データと、筆跡情報とを、時刻取得手段から取得した時刻に対応させて、書込み手段により記憶媒体に保存することを特徴とする。
【００１３】
また、上記の目的を達成するため、第３の発明は、各々に固有のＩＤが設定された複数の運航票と、運航票に運航票表示データを印刷すると共に、印刷する運航票のＩＤを検出する第１のＩＤ検出手段を具備する運航票印刷部と、運航票に所望の情報を筆記するために用いられ、筆記する運航票のＩＤを検出する第２のＩＤ検出手段と、運航票に所望の情報を筆記する管制官を認証する個人認証手段とを具備し、筆記された所望の情報の筆跡を検出する筆跡検出手段を具備する筆記手段と、運航票印刷部から供給された運航票のＩＤ及び運航票に印刷された運航票表示データと、筆記手段から供給された筆跡情報及び個人認証情報とを対応付けして管理する運航票管理部とを有することを特徴とする。
【００１４】
この発明では、運航票に印刷された運航票表示データと、その運航票に対する筆記内容を示す筆跡情報と、その筆記を行った管制官の個人認証情報とを運航票管理部で一元管理することができる。
【００１５】
また、上記の目的を達成するため、第４の発明は、第３の発明の運航票管理部が、時刻取得手段及び記憶媒体への書込み手段とを具備しており、運航票印刷部から供給された、運航票に印刷された運航票表示データと第１のＩＤ検出手段で検出された運航票の第１の検出ＩＤを記憶しており、筆記手段から筆跡情報及び認証情報と共に供給される、第２のＩＤ検出手段で検出された運航票の第２のＩＤをキーとして、第２のＩＤと同一の第１のＩＤと、運航票表示データと、筆跡情報と、認証情報とを、時刻取得手段から取得した時刻に対応させて、書込み手段により記憶媒体に保存することを特徴とする。
【００１６】
また、上記の目的を達成するため、第５の発明は、運航票管理部にて管理されている運航票の情報を、条件や範囲を指定して検索し、その検索内容を表示する表示装置を具備した検索装置が更に設けられていることを特徴とする。この発明では、探索装置により、運航票管理部に管理されている運航票の情報を容易に探索することができる。
【００１７】
ここで、上記の複数の運航票は航空管制対象の各航空機の飛行計画情報のうち、運航票に表示するデータが印刷される紙ベースの運航票であり、筆記手段は運航票に手書きで所望の情報を筆記する手段であることを特徴とする。
【発明の効果】
【００１８】
本発明によれば、少なくとも運航票に印刷された運航票表示データと、その運航票に対する筆記内容を示す筆跡情報とを対応付けして運航票管理部で一元管理するようにしたため、運航票表示データ及び手書きの筆跡内容の電子化による管制情報の保管が容易にでき、使用済みの運航票を保管する必要がなくなり、管制情報の管理が容易となり、また、運航票の検索性を向上でき、管制官の作業負担を軽減して管制業務の分析を効率的に行わせることができる。
【発明を実施するための最良の形態】
【００１９】
次に、本発明の各実施の形態について図面を参照して説明する。
【００２０】
（第１の実施の形態）
図１は本発明になる運航票の電子管理システムの第１の実施の形態のシステム構成図を示す。同図に示すように、本実施の形態は、複数の運航票１０１と、運航票印刷部１０２と、筆記手段１０３と、運航票管理部１０４とからなる。
【００２１】
本発明の構成外となる飛行計画情報処理システムに入力された飛行計画情報のうち、運航票に表示するデータは、運航票表示データ１０５として運航票印刷部１０２に送られる。運航票印刷部１０２は運航票表示データ１０５を受信し、印刷する機能を持つ。
【００２２】
複数の運航票１０１はそれぞれ紙ベースの運航票であり、各々固有のＩＤ１０１１が設定されており、このＩＤ１０１１は運航票印刷部１０２に具備されたＩＤ検出手段１０２１及び筆記手段１０３に具備されたＩＤ検出手段１０３１により検出される。運航票１０１にＩＤ１０１１を設定する方法には、ＩＣタグの付加、バーコードの印刷、磁性体の付与による磁気記録などが適用できる。また、ＩＤ検出手段１０２１及び１０３１には、ＩＣタグリーダの設置、画像認証処理装置の設置、磁気読取装置の設置などが適用できる。
【００２３】
筆記手段１０３には筆跡検出手段１０３２が具備されている。筆跡検出手段１０３２は、管制官１０６が筆記手段１０３により運航票１０１に加えた修正内容１０７の筆跡を検出する。上記の筆跡検出手段１０３２には画像認証処理装置の設置、電磁誘導方式による座標検出装置、感圧方式による座標検出装置などが適用できる。
【００２４】
また、筆跡検出手段１０３２による筆跡の検出方法は、公知の筆跡検出方法を用い得る（例えば、特開２００３−２６３２６７号公報、特開２００３−３４６０７８号公報参照）。特開２００３−２６３２６７号公報には、所定の媒体にペンで筆記を行うと、自動的に筆記軌跡を読み取る座標入力装置と、読み取った画像を保存する記憶装置とを有し、座標入力装置の画像読み取り装置を用いて文書情報（運航票のＩＤに相当）を読み取り、その後筆記動作を行うことが開示されている。また、特開２００３−３４６０７８号公報には、ペン型座標入力装置を用いて印刷文書上での移動軌跡を求めることが開示されている。
【００２５】
運航票印刷部１０２は、運航票表示データ１０５を印刷した運航票１０１のＩＤ１０１１をＩＤ検出手段１０２１により検出し、運航票表示データ１０５とＩＤ１０１１を共に運航票管理部１０４に送る機能を持つ。
【００２６】
筆記手段１０３は、修正内容１０７を筆跡検出手段１０３２により、また、修正が行われた運航票１０１のＩＤ１０１１をＩＤ検出手段１０３１によりそれぞれ検出し、修正内容１０７を示す筆跡情報と検出したＩＤ１０１１とを共に運航票管理部１０４に送る機能を持つ。
【００２７】
運航票管理部１０４は、記憶媒体１０４１に対してデータを書込み、読み出す書き込み／読み出し手段を具備し、運航票印刷部１０２より送られてきた運航票表示データ１０５とＩＤ１０１１、及び筆記手段１０３から送られてきた筆跡情報とＩＤ１０１１とを対応付けて記憶媒体１０４１に保存し、管理する機能を持つ。
【００２８】
次に、本実施の形態の動作について説明する。飛行計画情報処理システムから入力され、情報処理装置の飛行計画格納部に格納された飛行計画情報のうち、運航票に表示する運航票表示データ１０５が運航票表示データ生成部（図示せず）で選択・抽出されて作成され、運航票管理部１０４へ送られる。運航票管理部１０４は、運航票印刷部１０２に対して運航票表示データ１０５を送り、運航票印刷部１０２は運航票１０１に運航票表示データ１０５を印刷する。
【００２９】
運航票印刷部１０２はＩＤ検出部１０２１を具備しており、ＩＤ検出部１０２１により検出した運航票１０１のＩＤ１０１１と、運航票１０１に印刷した運航票表示データ１０５とを運航票管理部１０４に送信する。運航票管理部１０４は運航票表示データ１０５と、その運航票表示データ１０５が印刷された運航票１０１のＩＤ１０１１とを対応させ、記憶媒体１０４１に保存する。また、運航票管理部１０４は図示しない受信手段及び時刻取得手段を具備している。
【００３０】
一方、管制官１０６は、筆跡検出手段１０３２を具備する筆記手段１０３を使用して、運航票表示データ１０５が印刷され、かつ、固有のＩＤ１０１１が設定された運航票１０１に、管制情報の書き込みを手書きで行う。筆記手段１０３には運航票１０１のＩＤ１０１１を検出するＩＤ検出手段１０３１と、図示しない送信手段が接続されている。
【００３１】
筆跡検出手段１０３２は、ＩＤ検出手段１０３１を通して書き込みが行われた運航票１０１のＩＤ１０１１を検出する。筆記手段１０３は、管制官１０６が運航票１０１に書き込んだ修正内容を示す筆跡情報と、ＩＤ検出手段１０３１で検出した運航票１０１のＩＤ１０１１とを、送信手段を介して運航票管理部１０４に送信する。
【００３２】
運航票管理部１０４は、筆記手段１０３から送信された、筆跡情報及び運航票のＩＤを受信手段により受信し、運航票のＩＤをキーとして運航票表示データ、筆跡情報及び時刻取得手段から取得した時刻を対応させ、記憶媒体１０４１に保存する。
【００３３】
これにより、本実施の形態によれば、運航票１０１に印刷された運航票表示データ１０５及び管制官１０６が加えた修正内容１０７は、運航票管理部１０４にて一元管理することが可能となり、また、全てのデータは記憶媒体１０４１に保存されるため、情報の保管を容易に行うことが可能となる。
【００３４】
更に、本実施の形態によれば、紙ベースの運航票１０１に書き込まれた修正内容１０７をデジタル化し、記憶媒体１０４１に保存するようにしたため、使用済みの運航票を保管する必要がなくなり、管制情報の管理が容易となる。また、管制業務の分析を行って、安全及び効率の改善等の検討を行うために再利用する際には、運航票管理部１０４により運航票を検索することが容易となり、管制業務の分析が効率的に行える。
【００３５】
（第２の実施の形態）
次に、本発明の第２の実施の形態について説明する。図２は本発明になる運航票の電子管理システムの第２の実施の形態のシステム構成図を示す。同図中、図１と同一構成部分には同一符号を付し、その説明を省略する。図２に示す第２の実施の形態は、複数の運航票１０１と、運航票印刷部１０２と、筆記手段２０１と、運航票管理部１０４とからなる。この実施の形態は、筆記手段２０１が、ＩＤ検出手段１０３１及び筆跡検出手段１０３２に加えて管制官１０６を認証する個人認証手段２０１１を具備する点が第１の実施の形態と異なる。
【００３６】
個人認証手段２０１１は、筆記手段２０１を操作する管制官１０６の個人認証を行い、認証情報を他の情報と共に運航票管理部１０４に送り、他のデータと対応付けられて記憶媒体１０４２に保存される。個人認証手段２０１１には、公知のＩＣタグ認証技術、指紋認証技術などが適用できる。
【００３７】
この実施の形態では、管制官１０６は上記の個人認証手段２０１１により認証を行った後、運航票１０１に管制情報を書き込む。筆記手段２０１は、管制官１０６が運航票１０１に書き込んだ修正内容１０７を示す筆跡情報と、管制官１０６の認証情報、及び運航票１０１のＩＤ１０１１とを、送信手段を介して運航票管理部１０４に送信する。
【００３８】
運航票管理部１０４は、筆記手段２０１から送信された、筆跡情報、認証情報及び運航票のＩＤを受信手段により受信し、運航票のＩＤをキーとして運航票表示データ、筆跡情報、認証情報、及び時刻取得手段から取得した時刻を対応させ、記憶媒体１０４１に保存する。
【００３９】
これにより、本実施の形態では、運航票に修正を加えた管制官の認証情報を同時に管理できるため、運航票に印刷された内容、修正内容に加えて誰が修正を行ったかを記録することが可能となり、管制業務の分析を行う際により詳細な情報を加えることが可能となる。
【００４０】
（第３の実施の形態）
次に、本発明の第３の実施の形態について説明する。図３は本発明になる運航票の電子管理システムの第３の実施の形態のシステム構成図を示す。同図中、図２と同一構成部分には同一符号を付し、その説明を省略する。図３に示す第３の実施の形態は、複数の運航票１０１と、運航票印刷部１０２と、筆記手段２０１と、運航票管理部１０４と、検索装置３０１とからなる。この実施の形態は、第２の実施の形態の構成に加えて、運航票管理部１０４に検索装置３０１が接続されている点に特徴がある。なお、第１の実施の形態に適用することも可能である。
【００４１】
検索装置３０１は、表示装置３０１１及び入力装置３０１１が接続されており、検索装置３０１は運航票管理部１０４にて管理されている運航票の情報を、条件や範囲を指定して検索する判断機能を持つ。
【００４２】
これにより、本実施の形態では、運航票管理部１０４により管制業務の分析を行って、安全及び効率の改善等の検討を行うために再利用する際に、検索装置３０１を使用することで該当する運航票を検索することが容易となり、管制業務の分析が効率的に行える。
【００４３】
なお、以上の実施の形態において、筆記手段１０３、２０１と運航票管理部１０４との間の通信手段には、有線通信、無線通信、筆記手段１０３、２０１に設けた記憶装置を使用した一括転送などの手法のいずれも適用可能である。
【図面の簡単な説明】
【００４４】
【図１】本発明システムの第１の実施の形態のシステム構成図である。
【図２】本発明システムの第２の実施の形態のシステム構成図である。
【図３】本発明システムの第３の実施の形態のシステム構成図である。
【符号の説明】
【００４５】
１０１  運航票
１０２  運航票印刷部
１０３、２０１  筆記手段
１０４  運航票管理部
１０５  運航票表示データ
１０６  管制官
１０７  修正内容
３０１  検索装置
１０１１  ＩＤ
１０２１、１０３１  ＩＤ検出手段
１０３２  筆跡検出手段
１０４１  記憶媒体
２０１１  個人認証手段
３０１１  表示装置
３０１２  入力装置
【図１】
2006268082.tif 000003
【図２】
2006268082.tif 000004
【図３】
2006268082.tif 000005